【手続補正書】
【提出日】平成18年12月4日(2006.12.4)
【手続補正１】
【補正対象書類名】特許請求の範囲
【補正対象項目名】全文
【補正方法】変更
【補正の内容】
【特許請求の範囲】
【請求項１】
原稿ページを印刷ページに配置した文書を出力させることが可能な文書処理装置であって、
印刷ページに対する印刷位置を設定する印刷ページ位置設定手段と、
前記印刷ページ位置設定手段により設定された印刷位置の設定を、当該印刷ページに配置されるすべての原稿ページの属性に保存するページ設定保存手段と、
文書編集により注目する印刷ページ上に配置される原稿ページが変更された場合に、当該注目する印刷ページ上に配置されるすべての原稿ページの属性の印刷位置の設定が互いに一致するかを判定する一致判定手段と、
前記一致判定手段により一致しないと判定される場合に、前記注目する印刷ページ上に配置されるすべての原稿ページの属性の印刷位置が互いに一致するように、原稿ページの属性を変更して前記設定保存手段により保存する設定変更手段と、
原稿ページの属性として保存される前記印刷ページに対する設定を、該印刷ページの設定として適用して前記文書を出力させる出力制御手段と
を備えることを特徴とする文書処理装置。
【請求項２】
前記文書中のすべての印刷ページに対する共通の印刷位置を設定する文書位置設定手段と、
前記文書位置設定手段により設定された印刷位置の設定を、文書全体についての属性に保存する文書設定保存手段とをさらに備え、
前記出力制御手段は、文書全体についての属性として保存される印刷ページに対する共通の印刷位置の設定に、原稿ページの属性として保存される印刷ページに対する印刷位置の設定を合わせて、前記印刷ページの印刷位置の設定として適用して前記文書を出力させることを特徴とする請求項１に記載の文書処理装置。
【請求項３】
前記設定変更手段は、前記一致判定手段により互いに一致しないと判定される場合には、前記注目する印刷ページ上に配置されるすべての原稿ページの属性の印刷位置として、あらかじめ定めた値を設定することを特徴とする請求項１または２に記載の文書処理装置。
【請求項４】
原稿ページを印刷ページに配置した文書を出力させることが可能な文書処理装置であって、
印刷ページに対する印刷位置を設定する印刷ページ位置設定手段と、
前記印刷ページ位置設定手段により設定された印刷位置の設定を、当該印刷ページに配置されるすべての原稿ページの属性に保存するページ設定保存手段と、
文書編集により注目する印刷ページ上に配置される原稿ページが変更された場合に、当該注目する印刷ページ上に配置されるすべての原稿ページの属性の印刷位置の設定が互いに一致するかを判定する一致判定手段と、
前記一致判定手段により互いに一致しないと判定される場合に、前記注目する印刷ページ上に配置されるすべての原稿ページの属性の印刷位置が互いに一致するように、原稿ページの属性を変更して前記設定保存手段により保存する設定変更手段と、
原稿ページの属性として保存される前記印刷ページに対する設定を、該印刷ページの設定として適用して前記文書を出力させる出力制御手段と
を備えることを特徴とする文書処理装置。
【請求項５】
前記文書中のすべての印刷ページに対する共通の印刷位置を設定する文書位置設定手段と、
前記文書位置設定手段により設定された印刷位置の設定を、文書全体についての属性に保存する文書設定保存手段をさらに備え、
前記出力制御手段は、文書全体についての属性として保存される印刷ページに対する共通の印刷位置の設定に、原稿ページの属性として保存される印刷ページに対する印刷位置の設定を合わせて、前記印刷ページの印刷位置の設定として適用して前記文書を出力させることを特徴とする請求項１に記載の文書処理装置。
【請求項６】
前記設定変更手段は、前記一致判定手段により互いに一致しないと判定される場合には、前記注目する印刷ページ上に配置されるすべての原稿ページの属性の印刷位置として、あらかじめ定めた値を設定することを特徴とする請求項１または２に記載の文書処理装置。
【請求項７】
原稿ページを印刷ページに配置した文書を出力させることが可能な文書処理装置における文書処理方法であって、
印刷ページ位置設定手段が、印刷ページに対する印刷位置を設定する印刷ページ位置設定工程と、
ページ設定保存手段が、前記印刷ページ位置設定工程により設定された印刷位置の設定を、当該印刷ページに配置されるすべての原稿ページの属性に保存するページ設定保存工程と、
文書編集により注目する印刷ページ上に配置される原稿ページが変更された場合に、一致判定手段が、当該注目する印刷ページ上に配置されるすべての原稿ページの属性の印刷位置の設定が互いに一致するかを判定する一致判定工程と、
設定変更手段が、前記一致判定工程により一致しないと判定される場合に、前記注目する印刷ページ上に配置されるすべての原稿ページの属性の印刷位置が互いに一致するように、原稿ページの属性を変更して前記設定保存工程により保存する設定変更工程と、
出力制御手段が、原稿ページの属性として保存される前記印刷ページに対する設定を、該印刷ページの設定として適用して前記文書を出力させる出力制御工程と
を備えることを特徴とする文書処理方法。
【請求項８】
文書位置設定手段が、前記文書中のすべての印刷ページに対する共通の印刷位置を設定する文書位置設定工程と、
文書設定保存手段が、前記文書位置設定工程により設定された印刷位置の設定を、文書全体についての属性に保存する文書設定保存工程とをさらに備え、
前記出力制御工程では、文書全体についての属性として保存される印刷ページに対する共通の印刷位置の設定に、原稿ページの属性として保存される印刷ページに対する印刷位置の設定を合わせて、前記印刷ページの印刷位置の設定として適用して前記文書を出力させることを特徴とする請求項８に記載の文書処理方法。
【請求項９】
前記設定変更工程では、前記一致判定工程により互いに一致しないと判定される場合には、前記注目する印刷ページ上に配置されるすべての原稿ページの属性の印刷位置として、あらかじめ定めた値を設定することを特徴とする請求項７または９に記載の文書処理方法。
【請求項１０】
コンピュータを、原稿ページを印刷ページに配置した文書を出力させることが可能な文書処理装置として機能させるためのプログラムであって、
印刷ページに対する印刷位置を設定する印刷ページ位置設定手段と、
前記印刷ページ位置設定手段により設定された印刷位置の設定を、当該印刷ページに配置されるすべての原稿ページの属性に保存するページ設定保存手段と、
文書編集により注目する印刷ページ上に配置される原稿ページが変更された場合に、当該注目する印刷ページ上に配置されるすべての原稿ページの属性の印刷位置の設定が互いに一致するかを判定する一致判定手段と、
前記一致判定手段により一致しないと判定される場合に、前記注目する印刷ページ上に配置されるすべての原稿ページの属性の印刷位置が互いに一致するように、原稿ページの属性を変更して前記設定保存手段により保存する設定変更手段と、
原稿ページの属性として保存される前記印刷ページに対する設定を、該印刷ページの設定として適用して前記文書を出力させる出力制御手段と
してコンピュータを機能させることを特徴とするプログラム。
【請求項１１】
前記文書中のすべての印刷ページに対する共通の印刷位置を設定する文書位置設定手段と、
前記文書位置設定手段により設定された印刷位置の設定を、文書全体についての属性に保存する文書設定保存手段としてさらにコンピュータを機能させ、
前記出力制御手段は、文書全体についての属性として保存される印刷ページに対する共通の印刷位置の設定に、原稿ページの属性として保存される印刷ページに対する印刷位置の設定を合わせて、前記印刷ページの印刷位置の設定として適用して前記文書を出力させることを特徴とする請求項１０に記載のプログラム。
【請求項１２】
前記設定変更手段は、前記一致判定手段により互いに一致しないと判定される場合には、前記注目する印刷ページ上に配置されるすべての原稿ページの属性の印刷位置として、あらかじめ定めた値を設定することを特徴とする請求項１０または１１に記載のプログラム。
【手続補正２】
【補正対象書類名】明細書
【補正対象項目名】００１２
【補正方法】変更
【補正の内容】
【００１２】
原稿ページを印刷ページに配置した文書を出力させることが可能な文書処理装置であって、
印刷ページに対する印刷位置を設定する印刷ページ位置設定手段と、
前記印刷ページ位置設定手段により設定された印刷位置の設定を、当該印刷ページに配置されるすべての原稿ページの属性に保存するページ設定保存手段と、
文書編集により注目する印刷ページ上に配置される原稿ページが変更された場合に、当該注目する印刷ページ上に配置されるすべての原稿ページの属性の印刷位置の設定が互いに一致するかを判定する一致判定手段と、
前記一致判定手段により一致しないと判定される場合に、前記注目する印刷ページ上に配置されるすべての原稿ページの属性の印刷位置が互いに一致するように、原稿ページの属性を変更して前記設定保存手段により保存する設定変更手段と、
原稿ページの属性として保存される前記印刷ページに対する設定を、該印刷ページの設定として適用して前記文書を出力させる出力制御手段とを備える。
【手続補正３】
【補正対象書類名】明細書
【補正対象項目名】００１３
【補正方法】削除
【補正の内容】
【手続補正４】
【補正対象書類名】明細書
【補正対象項目名】００１４
【補正方法】削除
【補正の内容】
【手続補正５】
【補正対象書類名】明細書
【補正対象項目名】００１５
【補正方法】削除
【補正の内容】
【手続補正６】
【補正対象書類名】明細書
【補正対象項目名】００１６
【補正方法】削除
【補正の内容】
【手続補正７】
【補正対象書類名】明細書
【補正対象項目名】００１７
【補正方法】変更
【補正の内容】
【００１７】
あるいは、原稿ページを印刷ページに配置した文書を出力させることが可能な文書処理装置であって、
印刷ページに対する印刷位置を設定する印刷ページ位置設定手段と、
前記印刷ページ位置設定手段により設定された印刷位置の設定を、当該印刷ページに配置されるすべての原稿ページの属性に保存するページ設定保存手段と、
文書編集により注目する印刷ページ上に配置される原稿ページが変更された場合に、当該注目する印刷ページ上に配置されるすべての原稿ページの属性の印刷位置の設定が互いに一致するかを判定する一致判定手段と、
前記一致判定手段により互いに一致しないと判定される場合に、前記注目する印刷ページ上に配置されるすべての原稿ページの属性の印刷位置が互いに一致するように、原稿ページの属性を変更して前記設定保存手段により保存する設定変更手段と、
原稿ページの属性として保存される前記印刷ページに対する設定を、該印刷ページの設定として適用して前記文書を出力させる出力制御手段とを備える。
【手続補正８】
【補正対象書類名】明細書
【補正対象項目名】００１８
【補正方法】変更
【補正の内容】
【００１８】
本発明によれば、原稿ページを印刷ページに配置した文書を出力させることが可能な文書処理装置において、文書編集が行われることにより印刷ページ上にレイアウトされる原稿が変わる場合にも、印刷ページに配置されるすべての原稿の属性として保存されている印刷位置が一致するように原稿ページの属性を変更することで、当該印刷位置の設定を維持することができるという効果を奏する。
【手続補正９】
【補正対象書類名】明細書
【補正対象項目名】００１９
【補正方法】削除
【補正の内容】
【手続補正１０】
【補正対象書類名】明細書
【補正対象項目名】００２０
【補正方法】削除
【補正の内容】